(57)【要約】【課題】発信元が発する情報を、記憶手段に記憶される装置識別番号および装置名称に容易に反映することができる通信装置を提供することである。【解決手段】電話回線網１５から到来する発信元の電話番号および発信元の名前を、記憶手段１４が記憶している発信元に関する電話番号および名前と比較し、比較した結果、電話番号が一致し、名前が異なる場合に表示手段１０が文字と光で、スピーカ６が音で警告を発し、操作者に警告する。発信元の電話番号および名前と記憶手段１４が記憶している電話番号および名前とを比較する場合、表現が異なるが意味が同じときは、判定手段は一致すると判定し、警告を発しない。操作者が予め定める指定時間経過しても警告に対して、操作者が応答を行わない場合は、自動的に記憶手段１４に発信元の名前を追加して記憶し、一つの電話番号に複数の名前を記憶している状態であることを表示手段１０が表示し、操作者に報知する。【選択図】　　　図１
2004080077.tif 000002
【特許請求の範囲】
【請求項１】
通信網を介して他の通信装置と通信する通信装置であって、
複数の他の通信装置に関する情報として、各通信装置毎に対応付けられる装置識別番号および装置名称を含む装置情報を記憶する記憶手段と、
通信網から発信元の通信装置に関する情報として到来する発信元識別番号および発信元名称を含む発信元情報と、記憶手段に記憶される装置情報と比較し、発信元識別番号および発信元名称のいずれか一方だけが記憶手段に記憶される各装置識別番号および各装置名称と一致する一部一致情報の有無を判定する判定手段と、
判定手段による判定結果に基づいて、一部一致情報がある場合、警告を発する警告手段とを含むことを特徴とする通信装置。
【請求項２】
発信元情報は、通信網から到来する着呼に対して応答したとき、鳴動指令前に通信網から通信前情報として到来することを特徴とする請求項１記載の通信装置。
【請求項３】
判定手段は、発信元識別番号と装置識別番号とが同一の場合および予め設定される差異を有する場合、これら発信元識別番号と装置識別番号とが一致すると判定し、発信元名称と装置名称とが同一の場合および予め設定される差異を有する場合、これら発信元名称と装置名称とが一致すると判定することを特徴とする請求項１または２記載の通信装置。
【請求項４】
警告手段は、警告音を発することによって警告を発することを特徴とする請求項１〜３のいずれかに記載の通信装置。
【請求項５】
警告手段は、文字、記号および図形を含むキャラクターを表示することによって警告を発することを特徴とする請求項１〜４のいずれかに記載の通信装置。
【請求項６】
警告手段は、警告光を発することによって警告を発することを特徴とする請求項１〜５のいずれかに記載の通信装置。
【請求項７】
警告手段による警告に対する応答を入力するための応答入力手段と、
警告を発してから予め定める待機時間経過しても警告に対する応答が入力されない場合、発信元識別番号および発信元名称を、新たな装置識別番号および装置名称として相互に対応付けて、記憶手段に追加して記憶するように記憶手段に指令を与える記憶指令手段とを含むことを特徴とする請求項１〜６のいずれかに記載の通信装置。
【請求項８】
記憶手段に、複数の装置名称に対応付けられる装置識別番号および複数の装置識別番号に対応付けられる装置名称の少なくともいずれか一方が記憶されている重複記憶状態にある場合、重複記憶状態にあることを報知する報知手段を含むことを特徴とする請求項１〜７のいずれかに記載の通信装置。
【請求項９】
複数の通信機を備え、各通信機を用いて通信可能な通信装置であって、
記憶手段は、各通信機に対応する記憶部を有し、各記憶部に装置識別番号および装置名称をそれぞれ記憶し、
判定手段は、各記憶部毎に、一部一致情報の有無の判定が可能であり、
警告手段は、一部一致情報があると判定される記憶部に対応させて警告を発することを特徴とする請求項１〜８のいずれかに記載の通信装置。
【請求項１０】
各通信機のうちの少なくともいずれか１つを選択したことを表す選択情報を入力するための選択情報入力手段を含み、
判定手段は、発信元情報が到来したとき、各通信機のうち、発信元の通信装置との通信に利用された通信機に関して一部一致情報の有無を判定するとともに、入力された選択情報で選択される通信機に関して一部一致情報の有無を判定することを特徴とする請求項９記載の通信装置。
【請求項１１】
判定手段によって一致すると判定する差異を、設定するための一致判定差異設定手段を含むことを特徴とする請求項３記載の通信装置。
【発明の詳細な説明】
【０００１】
【発明の属する技術分野】
本発明は、通信網を介して到来する発信元の通信装置に関する情報と、予め記憶している他の通信装置に関する情報とを比較する通信装置に関する。
【０００２】
【従来の技術】
従来の技術として、特開昭６３−１３５０４８に示される通信装置がある。この通信装置は、通信網から到来する発信元識別番号および発信元名称が、記憶手段によって記憶され、記憶された発信元識別番号および発信元名称を、返信およびリダイアルするときなどの通信に利用できるように構成されている。
【０００３】
また他の従来の技術として、特開昭６４−２４６１に示される通信装置がある。この通信装置は、他の通信装置に関する装置識別番号と装置名称とを記憶する記憶手段を有しており、着信時に、通信網から到来する発信元識別番号と、記憶手段に記憶されている各装置識別番号とを比較し、発信元識別番号と一致する装置識別番号がある場合、その装置識別番号に対応する装置名称を、発信元識別番号とともに表示手段によって表示している。
【０００４】
またさらに他の従来の技術として、特開平８−２７４８７３に示される通信装置がある。この通信装置は、他の通信装置に関する装置識別番号と装置名称とを記憶する記憶手段を有しており、着信時に、通信網から到来する発信元識別番号と、記憶手段に記憶されている各装置識別番号とを比較する。この通信装置では、比較の結果、一致する装置識別番号がある場合、装置名称を発信元識別番号とともに表示手段によって表示するとともに、呼出音を発して着信を報知し、比較の結果、一致する装置識別番号がない場合、発光することによって着信を報知している。
【０００５】
またさらに他の従来の技術として、特開平８−３２１８６７に示される通信装置がある。この通信装置は、他の通信装置の装置識別番号および装置名称を番号データとして記憶するとともに、発信するときに指定した装置識別番号および着信したときに通信網から到来する発信元識別番号を、発信履歴および着信履歴として記憶し、またこれら発信履歴および着信履歴を表示することができるように構成されている。着信時に、発信元電話番号を着信履歴として記憶するにあたっては、番号データに発信元識別番号と一致する装置識別番号がある場合、対応する装置名称を、発信元識別番号とともに着信履歴として記憶している。また発信時に、指定した装置識別番号を発信履歴として記憶するにあたっては、番号データに指定した装置識別番号がある場合、対応する装置名称を、指定した装置識別番号とともに、発信履歴として記憶している。
【０００６】
さらに他の従来の技術として、特開２０００−７８３１３に示される通信装置がある。この通信装置は、他の通信装置に関する装置識別番号および装置名称を記憶する記憶手段を有し、かつこの記憶内容を、発信元の指示に応じて変更可能に構成されている。
【０００７】
【発明が解決しようとする課題】
前述したような特開昭６３−１３５０４８、特開昭６４−２４６１、特開平８−２７４８７３、特開平８−３２１８６７および特開２０００−７８３１３の通信装置では、通信網から到来する発信元識別番号および発信元名称に基づいて、記憶手段に記憶される装置識別番号および装置名称を変更することができるように、構成されておらず、不便であった。
【０００８】
したがって本発明の目的は、通信網から到来する発信元識別番号および発信元名称を、記憶手段に記憶される装置識別番号および装置名称に容易に反映することができる通信装置を提供することである。
【０００９】
【課題を解決するための手段】
本発明は、通信網を介して他の通信装置と通信する通信装置であって、
複数の他の通信装置に関する情報として、各通信装置毎に対応付けられる装置識別番号および装置名称を含む装置情報を記憶する記憶手段と、
通信網から発信元の通信装置に関する情報として到来する発信元識別番号および発信元名称を含む発信元情報と、記憶手段に記憶される装置情報と比較し、発信元識別番号および発信元名称のいずれか一方だけが記憶手段に記憶される各装置識別番号および各装置名称と一致する一部一致情報の有無を判定する判定手段と、
判定手段による判定結果に基づいて、一部一致情報がある場合、警告を発する警告手段とを含むことを特徴とする通信装置である。
【００１０】
本発明に従えば、記憶手段に、装置情報が記憶されており、判定手段によって、通信網から到来する発信元情報と装置情報とが比較され、発信元情報と装置情報との間で、識別番号および名称のいずれか一方だけが一致する一部一致情報の有無が判定される。この判定結果に基づいて、一部一致情報がある場合、警告手段が警告を発する。これによって発信元情報のうち、発信元識別番号および発信元名称のうち、いずれか一方が記憶される装置情報と一致し、いずれか他方が記憶される装置情報と一致しないことを、操作者に警告することができる。
【００１１】
また本発明は、発信元情報は、通信網から到来する着呼に対して応答したとき、鳴動指令前に通信網から通信前情報として到来することを特徴とする。
【００１２】
本発明に従えば、通信網から到来する着呼に対して応答したとき、鳴動指令前に通信前情報として、発信元情報が通信網より到来する。このように鳴動指令前に発信元情報が到来するので、鳴動指令前に判定手段によって判定することが可能であり、判定手段の判定結果に基づいて、鳴動指令前に警告手段によって警告することが可能である。
【００１３】
また本発明は、判定手段は、発信元識別番号と装置識別番号とが同一の場合および予め設定される差異を有する場合、これら発信元識別番号と装置識別番号とが一致すると判定し、発信元名称と装置名称とが同一の場合および予め設定される差異を有する場合、これら発信元名称と装置名称とが一致すると判定することを特徴とする。
【００１４】
本発明に従えば、判定手段は、発信元識別番号および発信元名称と、各装置識別番号および各装置名称とは、同一の場合および予め設定される差異を有する場合、一致していると判定される。これによって、発信元情報と装置情報とが、表現上同一でなく差異を有するが、内容的には同一である場合なども、情報が一致していると判定して、情報が完全に同一の場合と同様に、警告手段が警告を発しないようにすることができる。
【００１５】
また本発明は、警告手段は、警告音を発することによって警告を発することを特徴とする。
【００１６】
本発明に従えば、警告手段は、警告音を発することによって警告を発するので、操作者は、通信装置を目視しなくても、警告が発せられていることを、容易に認識することができる。
【００１７】
また本発明は、警告手段は、文字、記号および図形を含むキャラクターを表示することによって警告を発することを特徴とする。
【００１８】
本発明に従えば、警告手段は、文字、記号および図形を含むキャラクターを表示することによって警告を発するので、操作者は、鳴動音などの影響を受けずに、警告が発せられていることを、容易に認識することができる。
【００１９】
また本発明は、警告手段は、警告光を発することによって警告を発することを特徴とする。
【００２０】
本発明に従えば、警告手段は、警告光を発することによって警告を発するので、操作者は、鳴動音などの影響を受けずに、また周囲が暗い状態であっても、警告が発せられていることを、容易に認識することができる。
【００２１】
また本発明は、警告手段による警告に対する応答を入力するための応答入力手段と、
警告を発してから予め定める待機時間経過しても警告に対する応答が入力されない場合、発信元識別番号および発信元名称を、新たな装置識別番号および装置名称として相互に対応付けて、記憶手段に追加して記憶するように記憶手段に指令を与える記憶指令手段とを含むことを特徴とする。
【００２２】
本発明に従えば、警告を発してから予め定める待機時間を経過しても、警告に対する応答が応答入力手段によって入力されない場合、発信元識別番号および発信元名称を、新たな装置識別番号および装置名称として、記憶手段に追加して記憶するように、記憶指令手段によって記憶手段に指令を与える。これによって操作者は、一部一致情報が存在する発信元情報が到来したときに、情報の更新をしなくても、記憶手段に記憶される装置情報を参照することによって、後で情報の更新をすることができ、また後で、新たに記憶した装置情報を、通信などに利用することができる。
【００２３】
また本発明は、記憶手段に、複数の装置名称に対応付けられる装置識別番号および複数の装置識別番号に対応付けられる装置名称の少なくともいずれか一方が記憶されている重複記憶状態にある場合、重複記憶状態にあることを報知する報知手段を含むことを特徴とする。
【００２４】
本発明に従えば、重複記憶状態にある場合、重複記憶状態にあることを報知するので、操作者が、重複記憶状態にあることを容易に認識することができる。
【００２５】
また本発明は、複数の通信機を備え、各通信機を用いて通信可能な通信装置であって、
記憶手段は、各通信機に対応する記憶部を有し、各記憶部に装置識別番号および装置名称をそれぞれ記憶し、
判定手段は、各記憶部毎に、一部一致情報の有無の判定が可能であり、
警告手段は、一部一致情報があると判定される記憶部に対応させて警告を発することを特徴とする。
【００２６】
本発明に従えば、通信装置が複数の通信機を備え、各通信機に対応する各記憶部毎に一部一致情報の有無が判定され、一部一致情報がある記憶部に対応して、警告を発する。これによって各通信機に対応して、警告を発することができる。
【００２７】
また本発明は、各通信機のうちの少なくともいずれか１つを選択したことを表す選択情報を入力するための選択情報入力手段を含み、
判定手段は、発信元情報が到来したとき、各通信機のうち、発信元の通信装置との通信に利用された通信機に関して一部一致情報の有無を判定するとともに、入力された選択情報で選択される通信機に関して一部一致情報の有無を判定することを特徴とする。
【００２８】
本発明に従えば、選択された通信機に対して一部一致情報の有無を判定することができる。したがって操作者は、一部一致情報の有無を判定したい記憶部に対応する通信機を選択し、この通信機に関連して、一部一致情報の有無を判定することができる。
【００２９】
また本発明は、判定手段によって一致すると判定する差異を、設定するための一致判定差異設定手段を含むことを特徴とする。
【００３０】
本発明に従えば、判定手段によって一致すると判定する差異を、一致判定差異設定手段によって設定することができるので、操作者の意向を判定手段における判定に反映させることができる。
【００３１】
【発明の実施の形態】
図１は、本発明の実施の一形態のコードレス電話装置１００が備える親機１の電気的構成を示すブロック図である。図２は、コードレス電話装置１００が備える子機２０の電気的構成を示すブロック図である。図３は、コードレス電話装置１００を示す斜視図である。通信装置であるコードレス電話装置１００は、複数の通信機、具体的には親機１と子機２０とを含んで構成される。
【００３２】
親機１は、網制御手段２、モデム３、ハンドセット４、マイク５、スピーカ６、音声ユニット７、コードレス用制御手段８、アンテナ９、表示手段１０、ダイヤルキー１１、操作キー１２、主制御手段１３および記憶手段１４を含んで構成される。
【００３３】
主制御手段１３は、記憶手段１４に記憶されている制御プログラムに基づいて動作し、親機１の各構成部品２，３，１０〜１２，１４がそれぞれ所定の機能を実現するように、各構成部品２，３，１０〜１２，１４へ制御信号を与えて制御する。主制御手段１３は、ダイヤルキー１１および操作キー１２からの入力情報に基づく信号および電話回線網１５からのたとえば発呼信号などの信号が主制御手段１３に与えられ、与えられた信号に基づいて親機１の各構成部品２，３，１０〜１２，１４へ信号を与える。
【００３４】
記憶手段１４は、制御プログラムおよび電話帳などが記憶される。電話帳は、たとえば各装置名称に対応付けられて各装置識別番号が記憶される。記憶手段１４は、主制御手段１３から与えられた制御信号に従って、記憶される制御プログラムなどに基づく信号を主制御手段１３へ与える。
【００３５】
親機１は、網制御手段２によって電話回線網１５と接続されている。電話回線網１５は、複数の通信回線である電話回線によって形成される通信網である。網制御手段２は、電話回線網１５の状況を監視するとともに、電話回線網１５から到来する、換言すれば送られる信号に従って、音声ユニット７側とコードレス用制御手段８側とに切換え、電話回線網１５から送られる信号に基づく信号を、主制御手段１３へ与える。また網制御手段２は、主制御手段１３から与えられる信号に従って、音声ユニット７側とコードレス用制御手段８側とに切換る。
【００３６】
音声ユニット７は、網制御手段２およびモデム３から与えられる音声信号を増幅した後、ハンドセット４、マイク５およびスピーカ６に増幅した信号を与える。また音声ユニット７は、ハンドセット４、マイク５およびスピーカ６から与えられた音声信号を増幅した後、網制御手段２およびモデム３へ増幅した音声信号を与える。
【００３７】
モデム３は、発信元に関する情報を読取るために、電話回線網１５から到来するアナログ信号をデジタル信号に変換した後、主制御手段１３に変換した信号を与える。モデム３はたとえば、電話回線網１５から到来する着呼信号に網制御手段２が応答したとき、鳴動指令前に電話回線網１５から通信前情報として到来するアナログ信号である発信元識別番号および発信元情報をデジタル信号に変換する。
【００３８】
ハンドセット４は、操作者が電話回線網１５を介して他の通信装置の操作者と通話するのに用いられ、受話器および送話器を有す。ハンドセット４は待機状態では筺体１７に載置されており、載置操作に基づく信号を主制御手段１３へ与え、ハンドセット４を筺体１７から取上げた場合、取上げに基づく信号を主制御手段１３へ与える。スピーカ６は呼出音の音響出力に用いられるとともに、スピーカ６は受話器としてマイク５は送話器として、ハンドセット４を用いないで、音声の送信および受信ができ、換言するとハンズフリー状態にすることができる。
【００３９】
アンテナ９は、親機１と子機２０とを無線通信による接続をするため、電波の発信および受信を行う。表示手段１０は、主制御手段１３から与えられる制御信号に従って、文字などを用いて親機１の設定などの情報を表示する。
【００４０】
ダイヤルキー１１は、テンキーを含む複数のキーを備え、電話番号などの入力に用いられる。ダイヤルキー１１は、ダイヤルキー１１によって入力された情報に基づく信号を主制御手段１３へ与える。操作キー１２は、たとえば呼出音の音量設定および留守録機能の設定などの各種設定などを行うためのキーであって、受信開始キーと送信キーとを含む。受信開始キーは、電話回線網１５からの着呼に応答するためのキーであって、ハンドセット４を用いることなく、マイク５およびスピーカ６を用いることによって着呼に応答するために用いられる。送信キーは、ハンドセット４を用いることなく、発呼するために用いられる。操作キー１２は、操作キー１２によって入力された情報に基づく信号を主制御手段１３へ与える。表示手段１０、ダイヤルキー１１および操作キー１２を用いて、対話的にコードレス電話装置１００の各種設定を変更することができる。
【００４１】
コードレス用制御手段８は、親機１と子機２０とを無線通信によって接続する制御をする。コードレス用制御手段８は、網制御手段２から与えられる制御信号にしたがって、親機１と子機２０との接続などを行う。コードレス用制御手段８は、制御部とコンパンダ部とチューナ部とを含んで構成される。親機１と子機２０とを接続する指示が操作キー１２などによって主制御手段１３に与えられた場合、親機１と子機２０との接続を指示する制御信号が主制御手段１３から網制御手段２を介してコードレス制御手段８へ与えられる。親機１と子機２０とを接続するチャネルは制御チャネルと通話チャネルとがある。制御チャネルは制御信号を送受信するチャネルであり、通話チャネルは音声信号を送受信するチャネルである。制御チャネルと通話チャネルとは複数あり、複数ある制御チャネルと通話チャネルとの中で他の通信装置が用いていないチャネルであって、信号を送受信可能なチャネルを、コードレス用制御手段８の制御部は、制御チャネルと通話チャネルとそれぞれについて調べる。まず送受信可能な制御チャネルを用いて、制御部が親機１の識別（Ｉｄｅｎｔｉｆｉｃａｔｉｏｎ：略称ＩＤ）信号を子機２０へ送信する。子機２０が親機１のＩＤ信号を受信して、子機２０が子機２０のＩＤ信号を親機１へ送信して、互いのＩＤ信号が示す情報が一致していることを確認する。確認後、制御部は、信号を送受信可能な通話チャネルを選択して、親機１と子機２０とが通信できるようにする。ＩＤ信号が示す識別符号は、複数の通信機を有する通信装置毎に与えられ、通信装置毎に異なる符号である。複数の通信機を有する通信装置の親機と子機とが識別符号に基づくＩＤ信号を送受信して、識別符号が互いに同一であることを確認することによって、誤って本通信機と他の通信装置の通信機とが接続することを防ぐことができる。
【００４２】
チューナ部は、子機２０からの電波を受信して、電波を信号に変換する。変換された信号をコンパンダ部に与える。コンパンダ部は、網制御手段２から与えられた音声信号を、周波数帯域の範囲内で音声信号の音量に関わらず明快な音声信号を送信できるように、非線形に圧縮して制御部に与えるとともに、チューナ部から与えられた圧縮された音声信号を伸張して、音声信号に変換して網制御網２へ与える。
【００４３】
子機２０は、電話回線網１５と直接は接続されておらず、子機２０は親機１を介して電話回線網１５に接続することができ、親機１と子機２０とは無線通信によって接続される。子機２０は、容易に操作ができるようにより小形化するために、親機１の構成要素よりも小形の構成要素が用いられる。
【００４４】
子機２０は、子機マイク２１、子機スピーカ２２、子機音声ユニット２３、無線周波数（Ｒａｄｉｏ　Ｆｒｅｑｕｅｎｃｙ：略称ＲＦ）ユニット２４、コンパンダ集積回路（
Ｉｎｔｅｇｒａｔｅｄ　Ｃｉｒｃｕｉｔ：略称ＩＣ）２５、子機制御手段２６、子機表示手段２７、子機記憶手段２８、子機操作キー２９、子機ダイヤルキー３０、子機アンテナ３１、充電コントローラ３２および電池３３を含んで構成される。充電手段３４はクレードル用直流（Ｄｉｒｅｃｔ　Ｃｕｒｒｅｎｔ：略称ＤＣ）電源３５および子機クレードル３６を含んで構成される。
【００４５】
子機マイク２１、子機スピーカ２２、子機音声ユニット２３、子機表示手段２７、子機操作キー２９、子機ダイヤルキー３０および子機アンテナ３１は、前述の親機１のマイク５、スピーカ６、音声ユニット７、表示手段１０、操作キー１２、ダイヤルキー１１およびアンテナ９とそれぞれ同じ機能を有す。
【００４６】
子機制御手段２６は、子機記憶手段２８に記憶されている制御プログラムに基づいて動作し親機１の各構成部品２３，２４，２７，２９，３０，３２がそれぞれ所定の機能を実現するように、各構成部品２３，２４，２７，２９，３０，３２へ制御信号を与えて制御する。子機制御手段２６は、子機ダイヤルキー３０および子機操作キー２９からの入力情報に基づく信号および子機アンテナ３１からの信号が子機制御手段１３に与えられ、与えられた信号に基づいて子機２０の各構成部品２３〜２５，２７〜３０，３２へ信号を与える。
【００４７】
子機制御手段２６は、前述の親機１のコードレス用制御手段８の制御部と同じ機能も有す。したがって、親機１と子機２０とを接続する指示が子機操作キー２９などによって子機制御手段２６に与えられた場合、複数ある制御チャネルと通話チャネルとの中で他の通信装置が用いていないチャネルであって、信号を送受信可能なチャネルを、子機制御手段２６は制御チャネルと通話チャネルとそれぞれについて調べる。送受信可能な制御チャネルを用いて子機制御手段２６が子機２０のＩＤ信号を親機１へ送信する。親機１がＩＤ信号を受信して、親機１が親機１のＩＤ信号を子機２０へ送信して、互いのＩＤ信号が示す識別符号が一致していることを確認する。確認後、子機制御手段２６は、信号を送受信可能な通話チャネルを選択して、親機１と子機２０とが通信できるようにする。
【００４８】
子機記憶手段２８は、制御プログラムおよび電話帳などが記憶される。電話帳は、たとえば各装置名称に対応付けられて各装置識別番号が記憶される。子機記憶手段２８は、子機制御手段２６から与えられた制御信号に従って、記憶される制御プログラムなどに基づく信号を子機制御手段２６へ与える。子機記憶手段２６に記憶される装置識別番号および装置情報は、親機１の記憶手段１４に記憶される装置識別番号および装置情報と同一であってもよいし、違っていてもよい。
【００４９】
コンパンダＩＣ２５は、親機１のコードレス制御手段８のコンパンダ部と同じ機能を有す。ＲＦユニット２４は、親機１のコードレス用制御手段８のチューナ部と同じ機能を有す。
【００５０】
クレードル用ＤＣ電源３５は、子機クレードル３６を介して子機２０の電池３３を充電する電源である。子機クレードル３６は、子機２０に電気的に接続し、電池３３に電気を供給する電気接続部である。通常、子機２０は、子機クレードル３６から電気が供給されるように接続されている。充電コントローラ３２は、電池３３の充電の状況を監視し、子機表示手段２７などで電池３３の残量などを表示する。
【００５１】
主制御手段１３および子機制御手段２６は判定手段としての機能も有し、判定手段は判定部として主制御手段１３および子機制御手段２６に構成される。主制御手段１３の判定部は、電話回線網１５から発信元の通信装置に関する情報として到来する発信元識別番号および発信元名称を含む発信元情報と、記憶手段１４に記憶される装置情報と比較し、発信元識別番号および発信元名称のいずれか一方だけが各装置識別番号および各装置名称と一致する一部一致情報の有無を判定する。判定結果に基づく信号を主制御手段１３に与える。また子機制御手段２６の判定部は、電話回線網１５から発信元の通信装置に関する情報として到来する発信元情報と、子機記憶手段２８に記憶される装置情報と比較し、発信元識別番号および発信元名称のいずれか一方だけが各装置識別番号および各装置名称と一致する一部一致情報の有無を判定する。判定結果に基づく信号を子機制御手段２６に与える。
【００５２】
表示手段１０およびスピーカ６は警告手段としての機能も有す。警告手段は主制御手段１３の判定部の判定結果に基づいて、一部一致情報がある場合、主制御手段１３から与えられる信号に従って警告を発する。
【００５３】
また子機表示手段２７および子機スピーカ２２は、警告手段としての機能も有す。警告手段は子機制御手段２６の判定部の判定結果に基づいて、一部一致情報がある場合、子機制御手段２６から与えられる信号に従って警告を発する。
【００５４】
表示手段１０およびスピーカ６は報知手段としての機能も有す。報知手段は、記憶手段１４が、複数の装置名称に対応付けられる装置識別番号および複数の装置識別番号に対応付けられる装置名称の少なくともいずれか一方が記憶されている重複記憶状態にある場合、主制御手段１３から与えられる信号に従って、重複記憶状態にあることを報知する。また子機表示手段２７および子機スピーカ２２は報知手段としての機能も有す。報知手段は、子機記憶手段２８が重複記憶状態にある場合、子機制御手段２６から与えられる信号に従って、重複記憶状態にあることを報知する。
【００５５】
操作キー１２および子機操作キー２９は応答入力手段としての機能を有す。応答入力手段によって、警告手段による警告に対する応答を操作者は入力する。主制御手段１３および子機制御手段２６は、記憶指令手段としての機能も有す。記憶指令手段によって、警告手段が警告を発してから予め定める待機時間経過しても警告に対する応答が操作キー１２によって入力されない場合、発信元情報を新たな装置情報として相互に対応付けて、記憶手段１４に追加して記憶するように、主制御手段１３は記憶手段１４に指令を与える。記憶指令手段によって、警告手段が警告を発してから予め定める待機時間経過しても警告に対する応答が子機操作キー２９によって入力されない場合、発信元情報を新たな装置情報として相互に対応付けて、子機記憶手段２８に追加して記憶するように、子機制御手段２６は子機記憶手段２８に指令を与える。
【００５６】
また操作キー１２および子機操作キー２９は、選択情報入力手段としての機能も有す。各通信機のうち少なくともいずれか１つを選択したことを表す選択情報を、選択情報入力手段によって操作者は入力する。さらに操作キー１２および子機操作キー２９は、一致判定差異設定手段としての機能を有す。判定部によって一致すると判定する差異を、一致判定差異設定手段によって、操作者が設定する。
【００５７】
このようにコードレス電話装置１００は、記憶手段１４および子機記憶手段２８に、装置情報が記憶されており、主制御手段１３および子機制御手段２６の判定部によって、一部一致情報の有無が判定される。この判定結果に基づいて、一部一致情報がある場合、警告手段が警告を発する。発信元情報は装置情報よりも、発信元の通信装置に関する情報を正確に表している可能性が高く、一部一致情報が存在する場合、装置情報に誤りがある可能性がある。しかも一部一致情報の有無は、操作者が自ら判定しなくても、発信元情報が到来したとき、いわば自動的に判定される。このように装置情報に誤りがある可能性があることを、操作者が容易にかつ確実に認識することができる。
【００５８】
スピーカ６および子機スピーカ２２は、警告音を発することによって警告を発する。これにより操作者は、コードレス電話装置１００を目視しなくても、警告が発せられていることを、容易に認識することができる。また警告の内容を警告音によって表現することができるので、警告に対して可及的速やかに対応することができる。
【００５９】
表示手段１０および子機表示手段２７は、文字、記号および図形を含むキャラクターを表示することによって警告を発する。これにより操作者は、鳴動音などの影響を受けずに、警告が発せられていることを、容易に認識することができる。また警告の内容をキャラクターの組合せなどによって表示することができるので、操作者はコードレス電話装置１００を一見することによって、警告に対して可及的速やかに対応することができる。
【００６０】
また表示手段１０および子機表示手段２７は、警告光を発することによって警告を発する。これにより操作者は、鳴動音などの影響を受けずに、また周囲が暗い状態であっても、警告が発せられていることを、容易に認識することができる。また警告の内容を警告光の色などによって表示することができるので、操作者は通信装置を一見することによって、警告に対して可及的速やかに対応することができる。
【００６１】
コードレス電話装置１００は、各通信機に対応する各記憶部である記憶手段１４および子機記憶手段２８毎に一部一致情報の有無が判定され、一部一致情報がある記憶部に対応して、警告手段が警告を発する。これによって各通信機に対応して、警告を発することができる。これにより操作者が、通信機毎に一部一致情報の有無を認識することができ、高い利便性を有する。
【００６２】
図３（ａ）は、本発明の実施の形態である子機２０の外観構成であり、図３（ｂ）は、本発明の実施の形態である親機１の外観構成を示す。子機２０は、筺体３７に、子機マイク２１、子機スピーカ２２、子機ダイヤルキー３０、子機操作キー２９、子機表示手段２７および子機アンテナ３１などを備え、充電手段３４にセットされている。
【００６３】
親機１は、子機筺体１７に、ハンドセット４、ダイヤルキー１１、操作キー１２、表示手段１０、アンテナ９およびハンドセット４を接続するカールコード１６を備える。
【００６４】
図４は、コードレス電話装置１００において、電話回線網１５から着呼信号が到来してからの記憶手段１４の電話帳に関する処理が終了するまでの主制御手段１３の一連の処理の流れを示すフローチャートである。
【００６５】
たとえば、発信元の他の通信装置がコードレス電話装置１００へ発呼することによって、図４の処理が開始される。まず、ステップａ１では、電話回線網２である回線から操作者に着呼が有り、網制御手段２が主制御手段１３へ着呼であることを示す信号を与え、ステップａ２へ進む。ステップａ２では、たとえば通信前情報通知サービスによって発信元識別番号としてたとえば発信元の電話番号と、発信元名称としてたとえば発信元の名前とを示す信号が、回線から到来した場合、モデム３に前記信号を与え、信号がモデム３によって変換され、電話番号および名前を示す信号を主制御手段１３に与え、ステップａ３へ進む。発信元が発する情報が、送られてきてない場合、送られてきていないことを示す信号を主制御手段１３に与え、ステップａ１４へ進む。発信元が発する情報を示す信号を、モデム３が変換した結果、名前と電話番号とが両方ともある場合以外の場合は、送られてきた装置情報を示す信号を主制御手段１３に与え、ステップａ１４へ進む。
【００６６】
通信前情報通知サービスはＮＴＴ社が提供するサービスであり、通信網から到来する着呼に対して網制御網２が応答したとき、発信元識別番号および発信元名称が、鳴動指令前に通信網から通信前情報として到来する。発信元名称は、人の名称、会社の名称、団体の名称および地域の名称などであってもよい。
【００６７】
ステップａ３では、主制御手段１３に与えられた発信元の電話番号と、記憶手段１４に記憶されている各装置識別番号と各装置識別番号に対応した装置情報の表である電話帳の各電話番号とを、主制御手段１３の判定部が、対比して判定し、ステップａ４へ進む。ステップａ４では、ステップａ３で判定部が判定した結果、発信元の電話番号と一致する電話番号である番号が、電話帳の各電話番号にある場合、その判定結果を示す信号を主制御手段１３に与え、ステップａ５へ進み、発信元の番号と一致する電話番号が電話帳の各電話番号にない場合、その判定結果を示す信号を主制御手段１３に与え、ステップａ１４へ進む。
【００６８】
ステップａ５では、ステップａ４で同じ発信元の番号と電話帳の番号とにそれぞれ対応する発信元の名前と電話帳の名前とを、主制御手段１３が判定部に与え、比較して判定しステップａ６へ進む。ステップａ６では、ステップａ５で判定部が判定した結果、同一の名前でなく名前に差がある場合、その判定結果を示す信号を主制御手段１３に与え、ステップａ７へ進み、名前に差がない場合、その判定結果を示す信号を主制御手段１３に与え、ステップａ１４へ進む。
【００６９】
ステップａ７では、ステップａ６の結果、発信元の番号と電話帳の番号が同じで発信元の名前と電話帳の名前に差があるが、名前の差が予め設定される差異に含まれるかを、判定部が記憶手段１４に記憶される許容差異テーブルを用いて判定し、ステップａ８へ進む。許容差異テーブルは、同じ意味であるが異なる表現をする言葉を表にしたもので、記憶手段１４に予め記憶される。許容差異テーブルには、たとえばカブシキカイシャ、カブシキガイシャ、（カブ）およびＫＫなど同じ意味で異なる表現の言葉、ならびにサマ、ドノおよびクンなどの敬称を表す言葉、ならびにカチョウおよびセンセイなどの役職名を表す言葉などが記憶される。また判定部は、たとえば姓名を区別するために名前の途中に挿入される空白の有無によらず一致すると判定する。
【００７０】
ステップａ８では、ステップａ７での判定部の判定の結果、名前に差があるが、許容差異テーブルに記憶されている差異を有すると判定されると、同じ意味の名前なのでその判定結果を示す信号を主制御手段１３に与え、ステップａ１４へ進み、許容差異テーブルに記憶されてない差異を有すると判定されると、異なる名前なので、その判定結果を示す信号を主制御手段１３に与え、ステップａ９へ進む。
【００７１】
ステップａ９では、ステップａ８の判定結果によって、一部一致情報があることが示されたので、主制御手段１３が警告手段である表示手段１０およびスピーカ６に信号を与え、警告手段が操作者に警告を発して、ステップａ１０へ進む。
【００７２】
ステップａ１０では、ステップａ９での警告を受けて、操作キー１２によって、操作者の警告に対応する指示があった場合、指示を示す信号を主制御手段１３に与え、ステップａ１２へ進み、指示がない場合、ステップａ１１へ進む。
【００７３】
ステップａ１２では、ステップａ１０で操作者から受けた指示が電話帳の修正の指示である場合、主制御手段１３が記憶手段１４の電話帳に、修正を示す信号を与え、ステップａ１５へ進み、電話帳の修正の指示でなく他の指示、たとえば警告を止める指示である場合、主制御手段１３が指示に従って各構成要素に信号を与え、指示を実行し、ステップａ１４へ進む。
【００７４】
ステップａ１５では、ステップａ１２の電話帳の修正の指示を受けて、主制御手段１３が電話帳のテーブルを操作者の指示に従って修正し、ステップａ１７で処理を終了する。
【００７５】
ステップａ１１では、ステップａ１０で操作者からの指示がないため、予め設定される操作者からの指示を待つ待機時間経過してない場合、待機時間経過していないことを示す信号を主制御手段１３に与え、ステップａ１０へ戻り、待機時間経過した場合、待機時間経過したことを示す信号を主制御手段１３に与え、ステップａ１３へ進む。
【００７６】
ステップａ１３では、ステップａ１１で警告手段が警告を発してから予め定める待機時間経過しても警告に対する応答が入力されないので、主制御手段１３に含まれる記憶指令手段が、発信元の電話番号および名前を、新たな装置識別番号および装置情報として相互に対応付けて、記憶手段１４の電話帳に追加して記憶する指令を示す信号を与える。記憶手段１４は、信号に従って、発信元の名前を電話帳に追加して記憶し、ステップａ１６へ進む。
【００７７】
ステップａ１６では、ステップａ１３で発信元の名前を追加して電話帳に記憶したため、記憶手段１４の電話帳に、複数の装置情報に対応付けられる装置識別番号が記憶されている重複記憶状態にある装置識別番号が記憶されている。表示手段１０およびスピーカ６は報知手段を含み、重複記憶状態にある場合、主制御手段１３は重複記憶状態にあることを示す信号を報知手段に与え、報知手段が報知し、ステップａ１７で処理を終了する。
【００７８】
ステップａ１４では、ステップａ２、ステップａ４、ステップａ６、ステップａ８およびステップａ１２のそれぞれの結果をに基づいて、電話帳を修正する必要がないので、ステップａ１７で処理を終了する。
【００７９】
以上の処理によって、コードレス電話装置１００は、警告を発してから予め定める待機時間を経過しても、警告に対する応答が操作キー１２によって入力されない場合、発信元識別番号および発信元名称を、新たな装置識別番号および装置名称として、記憶手段１４に追加して記憶するように、主制御手段１３の記憶指令手段によって記憶手段１４に指令に基づく信号を与える。これによって操作者は、一部一致情報が存在する発信元情報が到来したときに、情報の更新をしなくても、記憶手段１４に記憶される装置情報を参照することによって、後で情報の更新をすることができ、また後で、新たに記憶した装置情報を、通信などに利用することができる。ダイヤルキー１１および操作キー１２によって、表示手段１０に電話帳に記憶される装置名称を表示させ、操作者が装置名称を決定して、装置名称に対応する装置識別番号を発呼するように、装置情報を利用することができる。
【００８０】
またコードレス電話装置１００は、判定部によって一致すると判定する差異を、操作キー１２および子機操作キー２９によって設定することができるので、操作者の意向を判定部における判定に反映させることができる。これにより一部一致情報の判定に、操作者の意向を反映させることができ、高い利便性を有する。
【００８１】
さらにコードレス電話装置１００は、重複記憶状態にある場合、重複記憶状態にあることを報知するので、操作者が、重複記憶状態にあることを容易に認識することができる。重複記憶状態にある装置情報は、誤りで有り、一つの装置識別番号には一つの装置情報が対応するように修正される可能性が高く、この重複記憶状態にあることを報知することによって、操作者が効率的に重複記憶状態にある装置情報を認識し、正すように変更することができる。
【００８２】
図４において、子機２０が用いられる場合は、ステップａ１では、回線からコードレス電話装置１００に着呼が有り、網制御手段２がコードレス用制御手段８を介して子機記憶手段２８へ着呼であることを示す信号を与え、ステップａ２へ進む。ステップａ２からの処理については子機制御手段２８が主制御手段１３と同じ動作をする。これにより子機２０の子機記憶手段２８に記憶される電話帳に関する処理ができる。
【００８３】
したがって本実施の形態では、親機１の記憶手段１４と子機２０の子機記憶手段２８とに対して一部一致情報の有無を、判定することができる。
【００８４】
図５は、本発明の実施の他の形態のコードレス電話装置１００において、親機１を用いて通信された場合の主制御手段１３の判定処理を示すフローチャートである。本実施の形態は電話回線網１５から着呼信号が到来した後、発信元の通信装置と通信した、具体的には通話した通信機である親機１か子機２０のいずれか一方において、一部一致情報の有無が判定される。本実施の形態は前述の図１〜図４のコードレス電話装置１００と類似しており、本実施の形態の構成にはコードレス電話装置１００における対応する構成と同一の参照符号を付し、異なる構成についてだけ説明し、同様の構成については説明を省略する。
【００８５】
たとえば、発信元の他の通信装置においてコードレス電話装置１００へ発呼されることによって、図５の処理が開始される。まず、ステップｂ１では、電話回線網１５からコードレス電話装置１００に着呼が有り、着呼後に親機１のハンドセット４および操作キー１２のいずれか一方によって、親機１と発信元の通信装置との通信、具体的には通話が開始されたことが、操作されたハンドセット４および操作キー１２のいずれか一方からの操作に基づいて取得され、取得したことを示す信号を主制御手段１３へ与え、ステップｂ２へ進む。ステップｂ２〜ｂ１７の処理に関しては、図４のステップａ２〜ａ１７と同じ処理を応答に用いた親機１の主制御手段１３においてするので、説明を省略する。
【００８６】
図５は、親機１を用いて通信された場合の主制御手段１３の判定処理を示すフローチャートであるが、子機２０を用いて通信された場合も子機制御手段２６において図５の判定処理と同様の処理をすることができる。
【００８７】
したがって本実施の形態では、親機１または子機２０のうち、いずれか一方の着呼に対して応答した通信機に関して、一部一致情報の有無を判定する。
【００８８】
図６に本発明の実施のさらに他の形態のコードレス電話装置１００において、操作キー１２および子機操作キー２９によって親機１を選択した場合、選択された親機１の記憶手段１４の電話帳に関する処理が終了するまでの主制御手段１３の一連の処理の流れを示すフローチャートである。本実施の形態は、図５において通信に用いられた通信機とは違う通信機を操作キー１２および子機操作キー２９を用いて指定することによって、選択した通信機における一部一致情報の有無が判定される。本実施の形態は前述の図１〜図４のコードレス電話装置１００と類似しており、本実施の形態の構成にはコードレス電話装置１００における対応する構成と同一の参照符号を付し、異なる構成についてだけ説明し、同様の構成については説明を省略する。
【００８９】
図６は、親機１が選択された場合の主制御手段１３の判定処理を示すフローチャートであるが、子機２０が選択された場合も子機制御手段２６において図６の判定処理と同様の処理をすることができる。
【００９０】
たとえば、発信元の他の通信装置によって、コードレス電話装置１００へ発呼され、子機２０が通信に用いられ、子機記憶手段２８に着信履歴などとして発信元情報が子機記憶手段２８に記憶され、図６の処理が開始される。ステップｃ１では、操作キー１２および子機操作キー２９によって親機１および子機記憶手段２８に記憶される発信元情報が選択され、選択することを示す信号を主制御手段１３および子機制御手段２６へ与え、ステップｃ２へ進む。ステップｃ２〜ｃ１７の処理に関しては、図４のステップａ２〜ａ１７と同じ処理を、選択された親機１と選択された発信元情報に基づいて、主制御手段１３においてするので、説明を省略する。
【００９１】
コードレス電話装置１００は、操作キー１２および子機操作キー２９によって選択された親機１および子機２０に対して一部一致情報の有無を判定することができる。したがって操作者は、一部一致情報の有無を判定したい記憶手段１４および子機記憶手段２８に対応する通信機を選択し、この通信機に関連して、一部一致情報の有無を判定することができる。このように発信元の通信装置との通信に利用された通信機に関連して一部一致情報の有無を判定するとともに、この通信に利用した通信機だけでなく、通信に利用されていない通信機であっても、選択された親機１および子機２０に関連して一部一致情報の有無を判定することができる。したがって、操作者は、到来した発信元情報を反映するように装置情報を変更したい通信機に対応する記憶手段１４および子機記憶手段２８の装置情報を、発信元情報に基づいて変更することができる。
【００９２】
図７の（ａ）は親機１の記憶手段１４の記憶内容の一例を示し、記憶手段１４には電話番号に対応して名前が記憶される。図７の（ｂ），（ｃ）および（ｄ）は電話回線網１５から到来した発信元が発する情報の一例を３種類示す。
【００９３】
発信元から図７の（ｂ）の発信元の電話番号１２３４および発信元の名前ＡＡＡが、図４のフローチャートに通信前情報通知サービスとして到来した場合についての主制御手段１３の処理について示す。
【００９４】
発信元が操作者へ発呼することによって、処理が開始される。まず、ステップａ１では、回線から操作者に着呼が有り、網制御手段２が主制御手段１３へ着呼であることを示す信号を与え、ステップａ２へ進む。ステップａ２では、通信前情報通知サービスによって発信元の電話番号１２３４および発信元の名前ＡＡＡを示す信号が回線から到来し、ステップａ３へ進む。
【００９５】
ステップａ３で判定部が（ａ）の各電話番号と（ｂ）の電話番号１２３４とを判定し、ステップａ４にて判定した結果、（ａ）の第１行に一致する電話番号１２３４があるので、ステップａ５へ進む。ステップａ５にて（ａ）の第１行の名前ＡＡＡと発信元の名前ＡＡＡとを判定部が判定してステップａ６へ進む。ステップａ６にて判定した結果、名前に差がないので、ステップａ１４へ進み電話帳の修正をせずステップａ１７へ進む。ステップａ１７で処理を終了する。
【００９６】
発信元から図７の（ｃ）の発信元の電話番号１２３６および発信元の名前ＦＦＦが、図４のフローチャートに通信前情報通知サービスとして到来した場合についての主制御手段１３の処理について示す。
【００９７】
発信元が操作者へ発呼することによって、処理が開始される。まず、ステップａ１では、回線から操作者に着呼が有り、網制御手段２が主制御手段１３へ着呼であることを示す信号を与え、ステップａ２へ進む。ステップａ２では、通信前情報通知サービスによって発信元の電話番号１２３６および発信元の名前ＦＦＦを示す信号が回線から到来し、ステップａ３へ進む。ステップａ３で判定部が（ａ）の各電話番号と（ｃ）の電話番号１２３６とを判定し、ステップａ４にて判定した結果、（ａ）の第３行に一致する電話番号１２３６があるので、ステップａ５へ進む。（ａ）の第３行の名前ＣＣＣと発信元の名前ＦＦＦとを判定部が判定し、ステップａ６にて判定した結果、名前が同一でないのでステップａ７へ進む。ステップａ７にて判定部が許容差異テーブルを用いて判定しステップａ８へ進む。ステップａ８にて判定部が一致しないと判定したので、ステップａ９へ進み、以下の手順は操作者の指示に従って処理を終了する。
【００９８】
発信元から図７の（ｄ）の発信元の電話番号１２３７および発信元の名前ＤＤＤが、図４のフローチャートに通信前情報通知サービスとして到来した場合についての主制御手段１３の処理について示す。
【００９９】
発信元が操作者へ発呼することによって、処理が開始される。まず、ステップａ１では、回線から操作者に着呼が有り、網制御手段２が主制御手段１３へ着呼であることを示す信号を与え、ステップａ２へ進む。ステップａ２では、通信前情報通知サービスによって発信元の電話番号１２３７および発信元の名前ＤＤＤを示す信号が回線から到来し、ステップａ３へ進む。ステップａ３で判定部が（ａ）の各電話番号と（ｄ）の電話番号１２３７とを判定し、ステップａ４にて判定した結果、（ａ）に示す電話番号の第４行に一致する電話番号１２３７があるので、ステップａ５へ進む。ステップａ５にて（ａ）の第４行の名前ＤＤＤさんと発信元の名前ＤＤＤとを判定部が判定し、ステップａ６にて判定した結果、名前が同一でないのでステップａ７へ進む。ステップａ７にて判定部が許容差異テーブルを用いて判定しステップａ８へ進む。ステップａ８にて、電話帳の名前ＤＤＤさんは同じ文字列ＤＤＤに敬称である「さん」が付加されていて、許容差異テーブルにある差異なので、名前が一致すると判定しステップａ１４へ進み電話帳の修正をせずステップａ１７へ進む。ステップａ１７で処理を終了する。
【０１００】
以上の処理によって、判定部は、発信元識別番号および発信元名称と、各装置識別番号および各装置名称とは、同一の場合および予め設定される差異を有する場合、一致していると判定される。これによって、発信元情報と装置情報とが、表現上同一でなく差異を有するが、内容的には同一である場合なども、情報が一致していると判定して、情報が完全に同一の場合と同様に、警告手段が警告を発しないようにすることができる。したがって発信元情報と装置情報に差異があっても、内容的には同一である場合などに、装置情報の変更をする必要がなく、操作者が装置情報を変更する回数を少なくすることができる。
【０１０１】
図８は、コードレス電話装置１００が待機状態であるときから通話状態になるまでの、コードレス電話装置１００の網制御手段２に対する電話回線網１５からの印可電圧状態を表す状態レベルと時刻との関係を示すグラフである。グラフの横軸は時刻を表し、グラフの縦軸は状態レベルである電圧を表す。
【０１０２】
電話回線網１５を介してコードレス電話装置１００と他の通信装置との接続のために電話回線を切換える交換機とが、２本の電話回線を用いて接続される。電話回線がコードレス電話装置１００と交換機との信号の送受信が行われていない待機状態で、２本の電話回線のうちアースに接続される電話回線をＬ１とし、電圧がかけられている電話回線をＬ２とする。待機状態である時刻が時刻ｔ０の時、電圧が電圧Ｅ３である。時刻ｔ１の時、コードレス電話装置１００の起動のための着信起動により、Ｌ１とＬ２との極性が反転され、電圧が電圧Ｅ３から電圧Ｅ１へ下がる。
【０１０３】
通信装置に情報などを通知する着信であることを伝える信号である情報受信端末起動信号４０が交換機からコードレス電話装置１００へ与えられる。情報受信端末起動信号４０は電圧Ｅ１を振幅中心として振動する信号であり、たとえば、１６Ｈｚの信号が約０．５秒間継続した後、信号が約０．５秒間停止する約１秒間の周期の信号である。コードレス電話装置１００は、信号の振動数などによって、この信号が情報受信端末起動信号４０であると判断し、情報受信端末起動信号４０を受信した場合、コードレス電話装置１００は鳴動しない。
【０１０４】
コードレス電話装置１００は、時刻が時刻ｔ１から時刻ｔ２へ経過し電圧が電圧Ｅ１の時、情報受信端末起動信号４０を検出し、Ｌ１とＬ２とを電気的に接続することによって、コードレス電話装置１００が情報などを受信可能となったことを示す信号である１次応答信号を、電話回線網１５を介して交換機へ与える。
【０１０５】
時刻が時刻ｔ２でＬ１とＬ２とを電気的に接続することによって、電圧が電圧Ｅ１より高くかつ電圧Ｅ３より小さい電圧Ｅ２に電圧Ｅ１から上がる。交換機は、時刻が時刻ｔ２で電圧Ｅ２である時、１次応答信号を検出し、発信元情報等４１をコードレス電話装置１００へ与える。発信元情報等４１はたとえば、国際電気通信連合電気通信標準化部門（Ｉｎｔｅｒｎａｔｉｏｎａｌ　Ｔｅｌｅｃｏｍｍｕｎｉｃａｔｉｏｎ
Ｕｎｉｏｎ　−　Ｔｅｌｅｃｏｍｍｕｎｉｃａｔｉｏｎ　Ｓｔａｎｄａｒｄｉｚａｔｉｏｎ　Ｓｅｃｔｏｒ略称：ＩＴＵ−Ｔ）勧告Ｖ．２３に準拠した信号である。さらに詳細には、発信元情報等４１の信号規格はたとえば、通信方式が半二重片方向通信方式であり、同期方式が調歩同期方式であり、変調方式が周波数変調方式であり、伝送速度が１２００ビット毎秒（ｂｉｔ
ｐｅｒ　ｓｅｃｏｎｄ略称：ｂｐｓ）である。
【０１０６】
コードレス電話装置１００が、時刻が時刻ｔ２から時刻ｔ３へ経過し、発信元情報等４１の受信を完了すると、Ｌ１とＬ２とを電気的に接続しない状態にすることによって、コードレス電話装置１００が情報などを受信を終了したことを示す信号である受信完了信号を交換機へ与える。Ｌ１とＬ２とを電気的に接続しない状態にすることによって、電圧が電圧Ｅ２から電圧Ｅ１へ下がる。
【０１０７】
交換機が、時刻が時刻ｔ３であり電圧が電圧Ｅ１である時、受信完了信号を検出し、交換機が、コードレス電話装置１００に着信があることを伝える信号である呼出信号４２を与え、時刻が時刻ｔ３から時刻ｔ４へ経過する。呼出信号４２は電圧Ｅ１を振幅中心として振動する信号であり、たとえば、１６Ｈｚの信号が約１秒間継続した後、信号が約２秒間停止する約３秒の周期の信号である。コードレス電話装置１００は、信号の振動数などによって、この信号が呼出信号４２であると判断し、コードレス電話装置１００は呼出音を発するとともに、受信した発信元情報等４１を表示手段１０に表示させる。
【０１０８】
コードレス電話装置１００が、時刻が時刻ｔ４であり電圧が電圧Ｅ１である時、コードレス電話装置１００が応答したこと示す信号である２次応答信号を、Ｌ１とＬ２と電気的に接続することによって示す。交換機が、２次応答信号を検出すると、呼出信号を停止するとともに、Ｌ１とＬ２の極性を復極させ、電圧が電圧Ｅ１から電圧Ｅ３へ上がり、通話手順に入る。発信元情報等４１の種類によっては、時刻が時刻ｔ３以降の手順は行われず、受信完了信号を検出した時、すべての手順が終了することもある。
【０１０９】
通信前情報通知サービスの発信元情報等４１のデータフォーマットの中で、発信元の電話番号および発信元の名前に関する部分は、情報の種類を示すパラメータ種別と、情報内容のバイト数を示す情報内容長と、情報の内容を示す情報内容とから成る。パラメータ種別と情報内容長と情報内容とを１ブロックとして、情報量に応じてブロックを順次送信する。パラメータ種別には、発信電話番号と発信電話番号非通知理由と発信電話番号拡張情報とがあり、発信電話番号拡張情報に発信元の名前が含まれる。
【０１１０】
電話回線網１５から到来する着呼信号に対して網制御手段２が応答したとき、鳴動指令前に通信前情報として、発信元情報が電話回線網１５から到来する。このように鳴動指令前に発信元情報が到来するので、鳴動指令前に判定部によって判定することができ、判定部の判定結果に基づいて、鳴動指令前に警告手段によって警告することができる。したがって操作者がコードレス電話装置１００を操作するときに、操作者に一部一致情報が存在することを警告することが可能になり、操作者が発信元情報に基づいて、装置情報を変更しやすくすることができる。
【０１１１】
本発明は、通信網は１種類であっても、複数種類であってもよい。本発明は、電話装置に限らず、発信元が発する情報を受信できるすべての通信装置、たとえばファクシミリ装置などでも有効である。コードレス電話装置１００が通信網を介して通信する他の通信装置は、本発明のコードレス電話装置１００でもよい。
【０１１２】
実施の形態では、電話番号が一致し、名前が異なる場合のみ書いたが、電話番号が異なり、名前が一致する場合でも本発明を適用することができる。
【０１１３】
実施の形態では、コードレス電話装置の通信機ごとに判定手段および記憶手段を含んで構成されたが、少なくとも一つの通信機が判定手段と記憶手段とを有し、判定手段と記憶手段とを含まない他の通信機に対して、判定結果と記憶手段に記憶される情報とに基づく信号を他の通信機に与えることによっても実現できる。
【０１１４】
【発明の効果】
以上のように本発明によれば、警告が発せられることによって、操作者は、到来した発信元識別番号および発信元名称のうち、いずれか一方だけが、記憶手段に記憶される装置情報と一致していることを、容易に認識することができる。発信元が発することによって通信網から到来する発信元情報は、記憶手段に記憶されている装置情報よりも、発信元の通信装置に関する情報を正確に表している可能性が高く、一部一致情報が存在する場合、装置情報に誤りがある可能性がある。しかも一部一致情報の有無は、操作者が自ら判定しなくても、発信元情報が到来したとき、いわば自動的に判定される。このように装置情報に誤りがある可能性があることを、操作者が容易にかつ確実に認識することができる。これによって操作者は、記憶手段に記憶される装置情報に誤りがある場合、その誤りを正すように、可及的速やかにかつ確実に、発信元情報が反映されるように装置情報を変更することが可能になる。
【０１１５】
また本発明によれば、鳴動指令前に判定手段によって判定することができ、判定手段の判定結果に基づいて、鳴動指令前に警告手段によって警告することができる。したがって操作者が通信装置を操作するときに、操作者に一部一致情報が存在することを警告することが可能になり、操作者が発信元情報に基づいて、装置情報を変更しやすくすることができる。
【０１１６】
また本発明によれば、発信元識別番号および発信元名称と、各装置識別番号および各装置名称とが、差異を有していても、その差異が、予め設定される差異である場合、情報が一致していると判定される。したがって発信元情報と装置情報に差異があっても、内容的には同一である場合などに、装置情報の変更をする必要がなく、操作者が装置情報を変更する回数を少なくすることができる。
【０１１７】
また本発明によれば、操作者は通信装置を視認せずとも、警告手段が警告を発していることを認識することができ、警告の内容を警告音によって表現することができるので、警告に対して可及的速やかに対応することができる。
【０１１８】
また本発明によれば、警告の内容をキャラクターの組合せなどによって表示することができるので、操作者は通信装置を一見することによって、警告に対して可及的速やかに対応することができる。
【０１１９】
また本発明によれば、警告の内容を警告光の色などによって表示することができるので、操作者は通信装置を一見することによって、警告に対して可及的速やかに対応することができる。
【０１２０】
また本発明によれば、発信元情報を新たな装置情報として記憶手段に追加して記憶し、記憶手段に記憶される各装置情報は、操作者が必要なときに参照することができるので、発信元情報を記憶手段に反映させることができる。
【０１２１】
また本発明によれば、重複記憶状態にあることを操作者が容易に認識できる。重複記憶状態にある装置情報は、誤りで有り、一つの装置識別番号には一つの装置情報が対応するように修正される可能性が高く、この重複記憶状態にあることを報知することによって、操作者が効率的に重複記憶状態にある装置情報を認識し、正すように変更することができる。
【０１２２】
また本発明によれば、操作者が、通信機毎に一部一致情報の有無を認識することができ、高い利便性を有する。
【０１２３】
また本発明によれば、操作者が一部一致情報の有無を判定したい通信機に対して、一部一致情報の有無を判定することができる。このように通信元の通信装置との通信に利用された通信機に関連して一部一致情報の有無を判定するとともに、この通信に利用した通信機だけでなく、通信に利用されていない通信機であっても、選択された通信機に関連して一部一致情報の有無を判定することができる。したがって、操作者は、到来した発信元情報を反映するように装置情報を変更したい通信機に対応する記憶部の装置情報を、発信元情報に基づいて変更することができる。
【０１２４】
また本発明によれば、一部一致情報の判定に、操作者の意向を反映させることができ、高い利便性を有する。
【図面の簡単な説明】
【図１】本発明の実施の一形態であるコードレス電話装置１００の親機１の主要構成を示すブロック図である。
【図２】本発明の実施の一形態であるコードレス電話装置１００の子機２０の主要構成を示すブロック図である。
【図３】親機１および子機２０の概観図である。
【図４】親機１の主制御手段１３において、発信元情報と装置情報とを比較する処理を示すフローチャートである。
【図５】応答した親機１の主制御手段１３において、発信元情報と装置情報とを比較する処理を示すフローチャートである。
【図６】選択された通信機である親機１の主制御手段１３において、発信元情報と装置情報とを比較する処理を示すフローチャートである。
【図７】記憶手段に記憶される電話帳の様子を示す表および発信元が発する電話番号と名前とを示す表であり、発信元が発する電話番号と名前とを示す表は複数ある。
【図８】発信元情報が電話回線網から到来する場合の、状態レベルを表したグラフである。
【符号の説明】
１　親機
２　網制御手段
３　モデム
４　ハンドセット
５　マイク
６　スピーカ
７　音声ユニット
８　コードレス用制御手段
１０　表示手段
１１　ダイヤルキー
１２　操作キー
１３　主制御手段
１４　記憶手段
１５　電話回線網
２０　子機
２２　子機スピーカ
２３　子機音声ユニット
２６　子機制御手段
２７　子機表示手段
２８　子機記憶手段
２９　子機操作キー
３０　子機ダイヤルキー
２４　ＲＦユニット
２５　コンパンダＩＣ
１００　コードレス電話装置
【図１】
2004080077.tif 000003
【図２】
2004080077.tif 000004
【図３】
2004080077.tif 000005
【図４】
2004080077.tif 000006
【図５】
2004080077.tif 000007
【図６】
2004080077.tif 000008
【図７】
2004080077.tif 000009
【図８】
2004080077.tif 000010